(57)【要約】【課題】ふとん乾燥機に使用される吹出しノズルにおいて、ふとんの乾燥効率を向上できることを目的とする。【解決手段】本発明のふとん乾燥機は、吸気口２を有した箱形状の本体ケース１と、前記本体ケース１内に設けたファン６と、ファン６の吹き出し空気を加熱するヒータ部７と、ヒータ部７によって加熱された空気の送風路であるホース３と、ホース３の先端に設けたノズル部４と、ノズル部４には吹出口５を備えている。ノズル部４は箱形状で、ノズル部４の側面の一部または全体が、天面から鉛直またはノズル部４内側へ向かって傾斜し、ノズル部４の側面に吹出口５を設けたので、ふとん内の広範囲に温風を行き渡らして、ふとんの乾燥効率を向上できるという効果を得ることができる。【選択図】図１
2017023531.tif 000002
【特許請求の範囲】
【請求項１】
吸気口を有した箱形状の本体ケースと、前記本体ケース内に設けたファンと、前記ファンの吹き出し空気を加熱するヒータ部と、前記ヒータ部によって加熱された空気の送風路であるホースと、前記ホースの先端に設けたノズル部と、前記ノズル部に設けた吹出口とを備え、前記ノズル部は箱形状で、前記ノズル部の側面の一部または全体が、天面から鉛直または前記ノズル部内側へ向かって傾斜し、前記ノズル部の側面に前記吹出口を設けたことを特徴としたふとん乾燥機。
【請求項２】
前記吹出口の一部または全体が前記ノズル部の下部に配置されていることを特徴とする請求項１記載のふとん乾燥機。
【請求項３】
前記ノズル部の下面には、下面から下方に延びた複数の足部を備えたことを特徴とした請求項１〜２記載のふとん乾燥機。
【請求項４】
前記吹出口は、前記ノズル部における前記ホースからの吹出し方向と対向する第１の側面と、前記第１の側面と隣接する第２の側面と第３の側面に配置されていることを特徴とした請求項１〜３記載のふとん乾燥機。
【請求項５】
前記吹出口には複数の風向板が設置され、前記風向板は前記ホースからの吹出し方向に対して、前記ホース軸中心から左右に拡大する方向に傾斜を設けたことを特徴とした請求項１〜４記載のふとん乾燥機。
【請求項６】
前記ノズル部は、上下方向において分割され、上部分と下部分とからなり、前記上部分と前記下部分とで色が異なることを特徴とした請求項１〜５記載のふとん乾燥機。
【請求項７】
前記ノズル部は、上下方向において分割され、上部分と下部分とからなり、前記上部分と前記下部分は樹脂成型され、前記下部分の側面高さが前記上部分の側面高さより低いことを特徴とした請求項１〜６記載のふとん乾燥機。
【請求項８】
前記ノズル部の前記下部分と前記上部分で材質が異なり、前記下部分は、前記上部分より剛性の高い材質であることを特徴とした請求項６または７記載のふとん乾燥機。
【発明の詳細な説明】
【技術分野】
【０００１】
本発明は、ふとんやベッドの乾燥や暖めに使用されるふとん乾燥機に関するものである。
【背景技術】
【０００２】
従来、この種のふとん乾燥機は、ホースに吹出しノズルを装着されたものが知られている（例えば、特許文献１参照）。
【０００３】
以下、そのふとん乾燥機について図７および図８を参照しながら説明する。
【０００４】
図７に示すように、本体１０１内にファン１０２とヒータ部１０３を配置し、ホース１０４を備え、吹出しノズル１０５をホース１０４に装着し、ノズル１０５の側面に適数の小穴１０６から温風を出す。図８に示すように掛け布団と敷布団の間に吹出しノズル１０５を設置し、ふとんを乾燥している。
【先行技術文献】
【特許文献】
【０００５】
【特許文献１】実開昭６２−１９６１９１号公報
【発明の概要】
【発明が解決しようとする課題】
【０００６】
このような従来のふとん乾燥機においては、筒形状のノズル１０５の側面全体に空けた小穴１０６から温風を出すため、ノズル１０５の上面と下面に配置されている小穴１０６は掛け布団と敷布団に塞がれてしまうため、開口部が減少することでノズル１０５内の圧損が高くなり、ふとんの乾燥効率が悪化してしまう課題を有していた。
【０００７】
そこで本発明は、上記従来の課題を解決するものであり、ふとんの乾燥効率を向上できるふとん乾燥機を提供することを目的とする。
【課題を解決するための手段】
【０００８】
そして、この目的を達成するために、本発明は、吸気口を有した箱形状の本体ケースと、前記本体ケース内に設けたファンと、前記ファンの吹き出し空気を加熱するヒータ部と、前記ヒータ部によって加熱された空気の送風路であるホースと、前記ホースの先端に設けたノズル部と、前記ノズル部に設けた吹出口とを備え、前記ノズル部は箱形状で前記ノズル部の側面の一部または全体が、天面から鉛直または前記ノズル部内側へ向かって傾斜し、前記ノズル部の側面に前記吹出口を設けたものであり、これにより所期の目的を達成するものである。
【発明の効果】
【０００９】
本発明によれば、吸気口を有した箱形状の本体ケースと、前記本体ケース内に設けたファンと、前記ファンの吹き出し空気を加熱するヒータ部と、前記ヒータ部によって加熱された空気の送風路であるホースと、前記ホースの先端に設けたノズル部と、前記ノズル部に設けた吹出口とを備え、前記ノズル部は箱形状で前記ノズル部の側面の一部または全体が、天面から鉛直または前記ノズル部内側へ向かって傾斜し、前記ノズル部の側面に前記吹出口を設けたことにより、ノズル部を掛け布団と敷布団の間に設置すると、ノズル部の側面の一部または全体が、天面から鉛直またはノズル部内側へ向かって傾斜しているので、側面付近に空間ができ、この空間に向かってノズル部の側面から温風を吹き出すので、ふとん内の広範囲に温風を行き渡らして、ふとんの乾燥効率を向上できるという効果を得ることができる。
【図面の簡単な説明】
【００１０】
【図１】本発明の実施の形態のふとん乾燥機の概略斜視図
【図２】同ふとん乾燥機の概略断面図
【図３】同ふとん乾燥機のふとん乾燥の実施状態を示す概略図
【図４】同ふとん乾燥機のノズル部の斜視図（（ａ）図１における本体ケース１の背面側から見た斜視図、（ｂ）図１における本体ケース１の前面側から見た斜視図）
【図５】同ふとん乾燥機のふとん乾燥の実施状態のふとん内部図
【図６】同ふとん乾燥機のノズル部の水平断面図
【図７】従来のふとん乾燥機を示す断面図
【図８】従来のふとん乾燥機を示す斜視図
【発明を実施するための形態】
【００１１】
本発明の請求項１記載のふとん乾燥機は、吸気口を有した箱形状の本体ケースと、前記本体ケース内に設けたファンと、前記ファンの吹き出し空気を加熱するヒータ部と、前記ヒータ部によって加熱された空気の送風路であるホースと、前記ホースの先端に設けたノズル部と、前記ノズル部に設けた吹出口とを備え、前記ノズル部は箱形状で前記ノズル部の側面の一部または全体が、天面から鉛直または前記ノズル部内側へ向かって傾斜し、前記ノズル部の側面に前記吹出口を設けた構成を有する。
【００１２】
これにより、前記ノズル部を掛け布団と敷布団の間に設置することで、側面付近に空間ができ、この空間に向かってノズル部の側面から温風を吹き出すので、ふとん内の広範囲に温風を行き渡らして、ふとんの乾燥効率を向上できるという効果を奏する。
【００１３】
また、本発明の請求項２記載のふとん乾燥機は、前記吹出口の一部または全体が前記ノズル部の下部に配置された構成を有する。
【００１４】
これにより、前記ノズル部を掛け布団と敷布団の間に設置することで最も空間が空く前記ノズル部の下部に温風を吹き出すので、ふとん内の広範囲に温風を行き渡らして、ふとんの乾燥効率を向上できるという効果を奏する。
【００１５】
また、本発明の請求項３記載のふとん乾燥機は、前記ノズル部の下面には、下面から下方に延びた複数の足部を備えた構成を有する。
【００１６】
これにより、前記ノズル部下面の下に空間が作られることにより、前記ノズル部が設置してある真下エリアにも温風を行き渡らすことができるので、ふとんの乾燥効率を向上できるという効果を奏する。
【００１７】
また、本発明の請求項４記載のふとん乾燥機は、前記吹出口は、前記ノズル部における前記ホースからの吹出し方向と対向する第１の側面と、前記第１の側面と隣接する第２の側面と第３の側面に配置されている構成を有する。
【００１８】
これにより、側面３方向の広範囲から温風を吹き出すことにより、ふとん内の広範囲に温風を行き渡らして、ふとんの乾燥効率を向上できるという効果を奏する。
【００１９】
また、本発明の請求項５記載のふとん乾燥機は、前記吹出口には複数の風向板が設置され、前記風向板は前記ホースからの吹出し方向に対して、前記ホース軸中心から左右に拡大する方向に傾斜を設けた構成を有する。
【００２０】
これにより、前記ホースから出た直進性の温風が、風向板によって左右に拡大する方向に拡大するので、ふとん内の広範囲に温風を行き渡らして、ふとんの乾燥効率を向上できるという効果を奏する。
【００２１】
また、本発明の請求項６記載のふとん乾燥機は、前記ノズル部は上下方向において分割され、上部分と下部分とからなり、前記上部分と前記下部分とで色が異なる構成を有する。
【００２２】
これにより、ふとん内に前記ノズル部を設置する際に、使用者にとって正規の上下方向を認識しやすいため、間違った方向での誤設置を防止することで、誤設置による乾燥能力の低下を防止できるという効果を奏する。
【００２３】
また、本発明の請求項７記載のふとん乾燥機は、前記ノズル部は上下方向において分割され、上部分と下部分とからなり、前記上部分と前記下部分は樹脂成型され、前記下部分の側面高さが前記上部分の側面高さより低い構成を有する。
【００２４】
これにより、前記下部分の側面は前記上部分より短いので、樹脂成型直後の収縮変形が前記下部分は起きにくくなり、前記上部分が収縮変形しても嵌合する前記下部分によって正規状態に強制されることにより、前記ノズル部は収縮変形しやすい樹脂材料を選択でき、安価な材料を選べるので、材料費を削減できるという効果を奏する。
【００２５】
また、本発明の請求項８記載のふとん乾燥機は、前記ノズル部の前記下部分と前記上部分で材質が異なり、前記下部分は、前記上部分より剛性の高い材質である構成を有する。
【００２６】
これにより、樹脂成型直後の収縮変形が前記下部分は起きにくくなるので、前記上部分については、収縮変形しやすい樹脂材料を選択でき、安価な材料を選べるので材料費を削減できるという効果を奏する。
【００２７】
以下、本発明の実施の形態について図面を参照しながら説明する。
【００２８】
（実施の形態）
図１は、本発明の実施の形態のふとん乾燥機の概略斜視図である。図２は、本発明の実施の形態のふとん乾燥機の概略断面図である。図３は、本発明の実施の形態のふとん乾燥機における、ふとん乾燥の実施状態を示す図である。図１、図２は、本体ケースの背面側から見た図である。
【００２９】
図１、図２に示すように、ふとん乾燥機は、縦長で、奥行き寸法が他の辺より小さい箱形状の本体ケース１を備えている。本体ケース１は、背面下部に吸気口２を備え、本体ケース１の側面上部からホース３が外へと配置されている。ホース３の先端にはノズル部４が連結しており、ノズル部４は吹出口５を備えている。
【００３０】
本体ケース１には、ファン６と、ヒータ部７とを備えている。
【００３１】
ファン６は、本体ケース１内における下部に配置され、ファン６の上方には、ヒータ部７を配置している。ファン６とヒータ部７とは連結され、ファン６によって吸気口２から吸い込まれた空気は、上方のヒータ部７へ送風される。
【００３２】
ヒータ部７は、ファン６から送風された空気を加熱する。ヒータ部７は、ホース３と連結されており、ヒータ部７を通過した空気は加熱され温風となり、ホース３へ送風される。
【００３３】
ホース３は、屈曲自在な円筒形状で、ヒータ部７から本体ケース１の外へ延びている。ホース３からノズル部４へ送風された温風は、ノズル部４の吹出口５から吹き出される。
【００３４】
図３に示すように、ふとん乾燥の実施状態としては、掛け布団８と敷布団９の間にノズル部４を差し込み、吹出口５から吹き出される温風を掛け布団８と敷布団９の間に行き渡らせることによって、ふとんの乾燥を行う。
【００３５】
図４は、本発明の実施の形態のふとん乾燥機のノズル部の斜視図である。図４（ａ）は、図１における本体ケース１の背面側から見た斜視図である。図４（ｂ）は、図１における本体ケース１の前面側から見た斜視図である。図５は、本発明の実施の形態のふとん乾燥機の実施状態のふとん内部を示す図である。図５は、ホース吹出しと対向する方向から見た図である。
【００３６】
図４、図５に示すように、ノズル部４は、ホース３の中心軸方向に長い箱形状である。ノズル部４は、ホース３の中心軸方向に対する垂直断面形状は、四角形状である。ノズル部４は、ホース３の中心軸方向における一方側の側面、つまり一方短辺側の側面に、ホース３の先端が装着されている。ノズル部４は、他方短辺側の側面である第１の側面１０ａと、一方長辺側の側面である第２の側面１０ｂと、他方長辺側の側面である第３の側面１０ｃとに、吹出口５を備えている。言い換えると、ノズル部４の側面において、ノズル部４におけるホース３からの吹出し方向と対向する側面が第１の側面１０ａとなり、第１の側面１０ａと隣接する側面が第２の側面１０ｂと第３の側面１０ｃとなる。
【００３７】
本実施形態における特徴は、ノズル部４は箱形状でノズル部４の側面の一部または全体が、天面から鉛直またはノズル部４内側へ向かって傾斜し、このノズル部４の側面に吹出口を設けた点である。具体的には、第１の側面１０ａ、第２の側面１０ｂ、第３の側面１０ｃの一部または全体が、天面から鉛直またはノズル部４内側へ向かって傾斜し、これらの側面に、吹出口５を設けたものである。
【００３８】
これにより、ノズル部４を掛け布団と敷布団の間に設置すると、ノズル部４の側面の一部または全体が、天面から鉛直またはノズル部４内側へ向かって傾斜しているので、側面付近に空間ができ、この空間に向かってノズル部４の側面から温風を吹き出すので、ふとん内の広範囲に温風を行き渡らして、ふとんの乾燥効率を向上できるという効果を得ることができる。また、ノズル部４の側面を天面からノズル部４内側へ向かって傾斜させると、ノズル部４の側面を天面から鉛直に延ばす場合に比べ、空間をノズル部４の高さの中央位置より下側エリアをさらに大きくすることができる。
【００３９】
また、吹出口５の一部または全体が、ノズル部４の下部に配置されてもよい。具体的には、ノズル部４に備えた吹出口５は、ノズル部４の上下方向の寸法における中央位置より下側、つまりノズル部４の高さの半分の位置より下側に配置されている下部吹出口５ａと、ノズル部４の高さの中央位置より上側に配置されている上部吹出口５ｂとを備えている。ノズル部４と吹出口５は、ホース３の軸中心に対し、左右対称の形状になっている。
【００４０】
これにより、ノズル部４を掛け布団と敷布団の間に設置することで最も空間が空くノズル部４の高さの中央位置より下側エリアに、下部吹出口５ａが配置されて温風を吹き出すので、ふとん内の広範囲に温風を行き渡らして、ふとんの乾燥効率を向上できる。
【００４１】
また、ノズル部の下面には、下面から下方に延びた複数の足部を備えている。ノズル部４の下面の内、ノズル部４とホース３の連結部とその逆側のノズル部４の先端部分の２ヶ所に足部１１を備え、足部１１が敷布団９に対して接触する構成となっている。
【００４２】
これにより、２ヶ所の足部１１の間は、敷布団９とノズル部４下側の間に空間が作られ、ノズル部４が設置してある真下エリアの敷布団９にも温風を行き渡らすことができるので、ふとんの乾燥効率を向上できる。
【００４３】
また、吹出口は、ノズル部におけるホースからの吹出し方向と対向する第１の側面と、第１の側面と隣接する第２の側面と第３の側面に配置されている。具体的には、下部吹出口５ａは、第１の側面１０ａと、第２の側面１０ｂと第３の側面１０ｃの側面側に全て配置されている。
【００４４】
これにより、第１の側面１０ａと、第２の側面１０ｂと第３の側面１０ｃの側面の３方向の広範囲から温風を吹き出すことにより、ふとん内の広範囲に温風を行き渡らして、ふとんの乾燥効率を向上できる。
【００４５】
図６は、本発明の実施の形態のふとん乾燥機のノズル部の水平断面図である。図６は上方向から見た図である。
【００４６】
図６に示すように、下部吹出口５ａのノズル部４内部には、複数の風向板１２が設置され、風向板１２はホース３からの吹出し方向に対して、ホース３軸中心から左右に拡大する方向に傾斜を設けた構成となっている。
【００４７】
これにより、ホース３から出た直進性の温風が、風向板１２によって左右方向に拡大するので、ふとん内の広範囲に温風を行き渡らして、ふとんの乾燥効率を向上できる。
【００４８】
また、図４に示すように、ノズル部４は上下方向において分割されている。色が濃いエリアが上ノズル部４ａであり、色が薄いエリアが下ノズル部４ｂである。上ノズル部４ａと下ノズル部４ｂとで色が異なる構成となっている。
【００４９】
これにより、ふとん内にノズル部４を設置する際に、使用者にとって正規の上下方向を認識しやすいため、間違った方向での誤設置を防止することで、誤設置による乾燥能力の低下を防止できる。
【００５０】
また、上ノズル部４ａは、天面から鉛直へ延び、下ノズル部４ｂは、上部から下部に向かうにつれて、ノズル部４内側へ向かって傾斜している。下ノズル部４ｂには、下部吹出口５ａを配置している。これにより、下部吹出口５ａ付近には空間ができ、この空間に向かってノズル部４の側面から温風を吹き出すので、ふとん内の広範囲に温風を行き渡らして、ふとんの乾燥効率を向上できるという効果を得ることができる。
【００５１】
また、上ノズル部４ａと下ノズル部４ｂが樹脂成型で作られており、下ノズル部４ｂの側面高さが上ノズル部４ａの側面高さより低い構成となっている。
【００５２】
これにより、下ノズル部４ｂの側面は上ノズル部４ａより短いので、樹脂成型直後の収縮変形が下ノズル部４ｂの側面は起きにくくなる。上ノズル部４ａの側面が収縮変形しても、嵌合する下ノズル部４ｂによって正規状態に強制されることにより、ノズル部４は収縮変形しやすい樹脂材料を選択でき、安価な材料を選べるので材料費を削減できる。
【００５３】
また、上ノズル部４ａと下ノズル部４ｂで材質が異なり、下ノズル部４ｂは、上ノズル部４ａより剛性の高い材質である構成となっている。
【００５４】
これにより、樹脂成型直後の収縮変形が下ノズル部４ｂは起きにくくなるので、上ノズル部４ａについては、収縮変形しやすい樹脂材料を選択でき、安価な材料を選べるので材料費を削減できる。
【産業上の利用可能性】
【００５５】
本発明にかかるふとん乾燥機は、ふとんやベッドの乾燥や暖めに使用されるふとん乾燥機等として有用である。
【符号の説明】
【００５６】
１    本体ケース
２    吸気口
３    ホース
４    ノズル部
４ａ  上ノズル部
４ｂ  下ノズル部
５    吹出口
５ａ  下部吹出口
５ｂ  上部吹出口
６    ファン
７    ヒータ部
８    掛け布団
９    敷布団
１０ａ  第１の側面
１０ｂ  第２の側面
１０ｃ  第３の側面
１１    足部
１２    風向板
【図１】
2017023531.tif 000003
【図２】
2017023531.tif 000004
【図３】
2017023531.tif 000005
【図４】
2017023531.tif 000006
【図５】
2017023531.tif 000007
【図６】
2017023531.tif 000008
【図７】
2017023531.tif 000009
【図８】
2017023531.tif 000010